(57)【特許請求の範囲】
【請求項１】
車椅子または歩行車における前後の車輪を洗浄するタイヤ洗浄機（１）であって、
架台（３）と、洗浄液パン（８、９）と、前輪洗浄ユニット（６）および後輪洗浄ユニット（７）とを有しており、
前記後輪洗浄ユニット（７）は前後方向における定まった位置に固定された状態で前記架台（３）に搭載されており、
前記前輪洗浄ユニット（６）は、前記後輪洗浄ユニット（７）の前側の位置において前後方向にスライド可能な状態で前記架台（３）に搭載されており、
前記後輪洗浄ユニット（７）は、幅方向に水平に延びる後輪洗浄ブラシロール（１２）と、この後輪洗浄ブラシロール（１２）と平行に延びる回転自在な後輪支持ロール（１３）とを備え、前記後輪洗浄ブラシロール（１２）における少なくとも下側部分が前記洗浄液パン（９）内に位置しており、
前記前輪洗浄ユニット（６）は、幅方向に水平に延びる前輪洗浄ブラシロール（２２）と、この前輪洗浄ブラシロール（２２）と平行に延びる回転自在な前輪支持ロール（２３）と、当該前輪洗浄ユニット（６）を前後方向の所定のスライド位置において前記架台（３）にロックするために手動操作されるロックレバー（２６）とを備え、前記前輪洗浄ブラシロール（２２）における少なくとも下側部分が前記洗浄液パン（８）内に位置しており、
前記ロックレバー（２６）は、前記前輪洗浄ユニット（６）における幅方向の一方の端に配置されており、
前記前輪洗浄ブラシロール（２２）および前記後輪洗浄ブラシロール（１２）のそれぞれは、ロール本体（１２ｂ、２２ｂ）と、このロール本体の円形外周面においてその長さ方向の全体に亘って所定の密度で植え付けられている束状のブラシ（１２ｃ、２２ｃ）とを備えており、
車輪のタイヤの両側部分およびタイヤとホイールリムの間の両側部分を洗浄するための側面ブラシ洗浄具（３０）を有しており、
前記前輪洗浄ユニット（６）は、幅方向における複数の位置に前記側面ブラシ洗浄具（３０）を取り外し可能な状態で取り付けることのできる前輪側洗浄具取付け部（２７）を備えており、
前記後輪洗浄ユニット（７）は、幅方向における複数の位置に前記側面ブラシ洗浄具（３０）を取り外し可能な状態で取り付けることのできる後輪側洗浄具取付け部（１７）を
備えており、
前記側面ブラシ洗浄具（３０）は、前記前輪側洗浄具取付け部（２７）あるいは前記後輪側洗浄具取付け部（１７）に取り付けた状態において、幅方向から相互に毛先が向かい合う状態に配置されている左右一対の側面ブラシ（３３Ｌ、３３Ｒ）と、これら側面ブラシ（３３Ｌ、３３Ｒ）を開閉可能な手動操作部材（３４）とを備えていることを特徴とするタイヤ洗浄機（１）。
【請求項２】
請求項１において、
二連式車輪における各車輪のタイヤ両側部分および各タイヤと各ホイールリムの間の両側部分を洗浄するための二連式側面ブラシ洗浄具（４０）を有しており、
前記二連式側面ブラシ洗浄具（４０）は、前記前輪側洗浄具取付け部（２７）あるいは前記後輪側洗浄具取付け部（１７）に取り外し可能な状態で取り付けることができ、
当該二連式側面ブラシ洗浄具（４０）は、前記前輪側洗浄具取付け部（２７）および前記後輪側洗浄具取付け部（１７）に取り付けた状態において、幅方向に並列配置されている一対の側面ブラシ（４３Ｌ、４３Ｒ）を備え、
各側面ブラシ（４３Ｌ、４３Ｒ）は、幅方向から相互に毛先が向かい合う状態に配置されている内側ブラシ（４２）および外側ブラシ（４１）を備えており、
前記二連式側面ブラシ洗浄具（４０）は、前記一対の側面ブラシ（４３Ｌ、４３Ｒ）を幅方向に開閉可能な手動操作部材（３４）を備えていることを特徴とするタイヤ洗浄機（１）。
【請求項３】
請求項１において、
前記側面ブラシ（３３Ｌ、３３Ｒ）は、前記後輪側洗浄具取付け部（１７）あるいは前記前輪側洗浄具取付け部（２７）に取り付けた状態において、上下方向において所定の間隔で前後方向に直線状に配列された上ブラシ列（３８ａ）、中央ブラシ列（３８ｂ）および下ブラシ列（３８ｃ）を備え、
各ブラシ列（３８ａ〜３８ｃ）では、ブラシの束が前後方向に連続的かつ直線状に配列されており、
前記中央ブラシ列（３８ｂ）のブラシの毛先長さに比べて、前記上ブラシ列（３８ａ）および前記下ブラシ列（３８ｃ）のブラシの毛先長さが長いことを特徴とするタイヤ洗浄機（１）。
【請求項４】
車椅子または歩行車における前後の車輪を洗浄するタイヤ洗浄機（１）であって、
架台（３）と、洗浄液パン（８、９）と、前輪洗浄ユニット（６）および後輪洗浄ユニット（７）とを有しており、
前記後輪洗浄ユニット（７）は前後方向における定まった位置に固定された状態で前記架台（３）に搭載されており、
前記前輪洗浄ユニット（６）は、前記後輪洗浄ユニット（７）の前側の位置において前後方向にスライド可能な状態で前記架台（３）に搭載されており、
前記後輪洗浄ユニット（７）は、幅方向に水平に延びる後輪洗浄ブラシロール（１２）と、この後輪洗浄ブラシロール（１２）と平行に延びる回転自在な後輪支持ロール（１３）とを備え、前記後輪洗浄ブラシロール（１２）における少なくとも下側部分が前記洗浄液パン（９）内に位置しており、
前記前輪洗浄ユニット（６）は、幅方向に水平に延びる前輪洗浄ブラシロール（２２）と、この前輪洗浄ブラシロール（２２）と平行に延びる回転自在な前輪支持ロール（２３）と、当該前輪洗浄ユニット（６）を前後方向の所定のスライド位置において前記架台（３）にロックするために手動操作されるロックレバー（２６）とを備え、前記前輪洗浄ブラシロール（２２）における少なくとも下側部分が前記洗浄液パン（８）内に位置しており、
前記ロックレバー（２６）は、前記前輪洗浄ユニット（６）における幅方向の一方の端
に配置されており、
前記前輪洗浄ブラシロール（２２）および前記後輪洗浄ブラシロール（１２）のそれぞれは、ロール本体（１２ｂ、２２ｂ）と、このロール本体の円形外周面においてその長さ方向の全体に亘って所定の密度で植え付けられている束状のブラシ（１２ｃ、２２ｃ）とを備えており、
前記洗浄液パンとして、前記前輪洗浄ブラシロール用の前輪洗浄液パン（８）と、前記後輪洗浄ブラシロール用の後輪洗浄液パン（９）とを備えており、
前記前輪洗浄液パン（８）は、前方に向けて下方に傾斜している傾斜面（６２ｂ）に沿って、水平姿勢のままスライドして、前記前輪洗浄ユニット（６）から前方に取り外し可能であり、
前記後輪洗浄液パン（９）は、後方に向けて下方に傾斜している傾斜面（６２ｂ）に沿って、水平姿勢のままスライドして、前記架台（３）から後方に取り外し可能であることを特徴とするタイヤ洗浄機（１）。
【請求項５】
請求項４において、
前記前輪洗浄液パン（８）および前記後輪洗浄液パン（９）のそれぞれは、所定厚さの直方体形状をしたパンであり、
前記パンの天面は、その前端側の部分および後端側の部分が所定幅の前蓋（５１）および後蓋（５２）で覆われて、これらの間が上方に開口した開口部（５３）となっており、
前記パンの内部は、その天面と底面の間には、所定の間隔で幅方向に延びている前側垂直仕切り板（５４）および後側垂直仕切り板（５５）によって、前側区画室（５６ａ）、中央区画室（５６ｂ）および後側区画室（５６ｃ）に仕切られており、
前記前側区画室（５６ａ）および前記中央区画室（５６ｂ）の間は、前記前側垂直仕切り板（５４）に形成した連通穴あるいは当該前側垂直仕切り板（５４）の上下の部分を介して連通しており、
前記後側区画室（５６ｃ）と前記中央区画室（５６ｂ）の間は、前記後側垂直仕切り板（５５）に形成した連通穴あるいは当該後側垂直仕切り板（５５）の上下の部分を介して連通しており、
前記開口部（５３）から前記前輪洗浄ブラシロール（２２）あるいは前記後輪洗浄ブラシロール（１２）が前記パン内に挿入されていることを特徴とするタイヤ洗浄機（１）。
【発明の詳細な説明】
【技術分野】
【０００１】
本発明は、車椅子あるいは歩行補助車の各車輪のタイヤ部分を同時に洗浄可能なタイヤ洗浄機に関する。さらに詳しくは、洗浄対象の車椅子等を設置する際に幅方向の位置決めが不要であり、前後のタイヤピッチに応じて前後の洗浄ブラシロールの位置調整を簡単に行うことのできるタイヤ洗浄機に関する。
【背景技術】
【０００２】
車椅子の前後四輪のタイヤを同時に洗浄するタイヤ洗浄装置としては各種のものが提案されている。これらのタイヤ洗浄装置の基本構成は同一であり、装置架台の前後に、左右一対の前輪洗浄用の回転式ブラシおよび左右一対の後輪洗浄用の回転式ブラシ（ブラシロール）を配置し、これらの上に四輪が載るように洗浄対象の車椅子を設置し、この状態で、洗浄液に浸漬した状態の各回転式ブラシを回転駆動して各車輪のタイヤをブラシ洗浄している。
【０００３】
特許文献１には、タイヤのトレッドの洗浄と共にタイヤの側面の洗浄を確実に行うことができるように、車輪幅と同等あるいは広幅のＵ字状の溝を持ったボビン状の回転式ブラシを用いたタイヤ洗浄装置が提案されている。回転式ブラシは、前後に一対ずつ配置されており、左右の間隔および前後の間隔を調整できるようになっている。
【先行技術文献】
【特許文献】
【０００４】
【特許文献１】特開２００７−８２８８３号公報
【発明の概要】
【発明が解決しようとする課題】
【０００５】
従来のタイヤ洗浄装置には次のような解決すべき課題がある。まず、車椅子を持ち上げて各タイヤがタイヤ洗浄装置の各回転式ブラシに載った状態となるように設置する必要がある。重量のある車椅子を作業員が持ち上げて、四輪のそれぞれを回転式ブラシに位置決めした状態で設置する作業は簡単ではない。特に、特許文献１のようにＵ字状の溝を持った回転式ブラシの場合には、溝内に各車輪のタイヤが入り込むように正確に位置決めする必要があり、設置作業を簡単に行うことが出来ないことがある。
【０００６】
また、前後の車輪間隔および左右の車輪間隔は車椅子に応じて異なる場合があるので、それに対応する間隔となるように回転式ブラシの前後の間隔および左右の間隔を調整する必要がある。例えば、前後の間隔をタイヤ洗浄装置の前端に取り付けられているハンドルを回し、これをボールネジなどの直動機構を介して前後の回転式ブラシの間隔を調整するものが知られている。しかし、このような調整機構では、前後の車輪の設置状態を直接に目視により確認しながら作業を行うことができないので、短時間で調整作業を行うことができないことがある。
【０００７】
さらに、タイヤの両側面を洗浄するために、従来においては特許文献１におけるようにＵ字状の回転式ブラシを用いている。あるいは、回転式ブラシに載せたタイヤの両側面にブラシを当てることにより洗浄するものも知られている。しかしながら、一般的に、タイヤの側面と、タイヤが取り付けられているホイールリムとの間には奥まった溝状の部分が形成されており、この部分の底に付着している異物を確実に洗浄することができないことが多い。
【０００８】
また、洗浄対象の歩行補助車等においては、前または後の車輪のそれぞれが一対の車輪が連結されたダブル車輪（二連式車輪）の場合がある。このようなタブル車輪における各タイヤ側面、特に内側面を、従来におけるタイヤ側面洗浄用のブラシでは洗浄することが困難である。
【０００９】
一方、回転式ブラシは、その下側部分あるいは全体を下側に配置されている洗浄液を溜めた洗浄液パン（あるいは洗浄液タンク）に浸漬した状態で回転して、洗浄液でタイヤをブラシ洗浄している。洗浄液の汚れがひどくなった場合には洗浄液の交換が必要になる。洗浄液の交換には、洗浄液パンを引き出して汚れた洗浄液を廃棄し、新たな洗浄液を入れて、再び洗浄液パンを元の位置に戻すようにすれば、洗浄液の交換を簡単に行うことができる。しかしながら、回転式ブラシが浸漬した状態にある洗浄液パンを引き出そうとすると、洗浄液パンが回転式ブラシに干渉してしまうので引き出すことができない。
【００１０】
また、洗浄液の交換のために洗浄液パンを出し入れする際などにおいて、洗浄液パンが揺れて洗浄液がこぼれ出てしまい、洗浄液の無駄が多くなってしまう。また、洗浄液が撹拌されて多量に空気を抱き込み、大量の泡が発生して周囲を汚してしまう。
【００１１】
本発明の課題は、これらの点に鑑みて、洗浄対象の車椅子等を設置する際に幅方向の位置決めが不要であり、前後のタイヤピッチに応じて前後の洗浄ブラシロールの位置調整を簡単に行うことのできるタイヤ洗浄機を提案することにある。
【００１２】
また、本発明の課題は、左右の車輪間隔に対応した位置に車輪両側面を洗浄するための側面ブラシ洗浄具を簡単な操作によって位置決めして取り付けることのできるタイヤ洗浄機を提案することにある。
【００１３】
さらに、本発明の課題は、ダブル車輪の場合であっても、そのタイヤ側面を確実に洗浄可能な側面ブラシ洗浄具を備えたタイヤ洗浄機を提案することにある。
【００１４】
さらには、本発明の課題は、洗浄液を交換する作業などを簡単に行うことのできる着脱式の洗浄液パンを備えたタイヤ洗浄機を提案することにある。
【００１５】
これに加えて、本発明の課題は、タイヤ洗浄中、洗浄液パンの入れ替え時やスライド時などにおける洗浄液の漏れ、泡立ちを抑制可能な洗浄液パンを備えたタイヤ洗浄機を提案することにある。
【課題を解決するための手段】
【００１６】
上記の課題を解決するために、本発明では、車椅子または歩行補助車における前後の車輪を洗浄するタイヤ洗浄機が次の構成を備えたことを特徴としている。なお、括弧付の符号は、本発明の実施の形態において使用したものであり、理解を容易にすることを目的として付したものであり、本発明を実施の形態に限定することを意図するものではない。
【００１７】
本発明のタイヤ洗浄機（１）は、
架台（３）と、洗浄液パン（８、９）と、前輪洗浄ユニット（６）および後輪洗浄ユニット（７）とを有しており、
前記後輪洗浄ユニット（７）は前後方向における定まった位置に固定された状態で前記架台（３）に搭載されており、
前記前輪洗浄ユニット（６）は、前記後輪洗浄ユニット（７）の前側の位置において前後方向にスライド可能な状態で前記架台（３）に搭載されており、
前記後輪洗浄ユニット（７）は、幅方向に水平に延びる後輪洗浄ブラシロール（１２）と、この後輪洗浄ブラシロール（１２）と平行に延びる回転自在な後輪支持ロール（１３）とを備え、前記後輪洗浄ブラシロール（１２）における少なくとも下側部分が前記洗浄液パン（９）内に位置しており、
前記前輪洗浄ユニット（６）は、幅方向に水平に延びる前輪洗浄ブラシロール（２２）と、この前輪洗浄ブラシロール（２２）と平行に延びる回転自在な前輪支持ロール（２３）と、当該前輪洗浄ユニット（６）を前後方向の所定のスライド位置において前記架台（３）にロックするために手動操作されるロックレバー（２６）とを備え、前記前輪洗浄ブラシロール（２２）における少なくとも下側部分が前記洗浄液パン（８）内に位置しており、
前記ロックレバー（２６）は、前記前輪洗浄ユニット（６）における幅方向の一方の端に配置されており、
前記前輪洗浄ブラシロール（２２）および前記後輪洗浄ブラシロール（１２）のそれぞれは、ロール本体（１２ｂ、２２ｂ）と、このロール本体の円形外周面においてその長さ方向の全体に亘って所定の密度で植え付けられている束状のブラシ（１２ｃ、２２ｃ）とを備えていることを特徴としている。
【００１８】
本発明のタイヤ洗浄機では、前輪洗浄ブラシロールおよび後輪洗浄ブラシロールとして、その長さ方向の全体に亘って束状ブラシが植え付けられたものを用いている。このように、前後において幅方向に長いブラシロールが架け渡されているので、前輪の左右の間隔および後輪の左右の間隔に対応するように前後のブラシロールを左右に調整する必要がない。また、これらの前後のブラシロールに前輪および後輪を載せるだけでよく、左右方向の位置決めが不要である。よって、重量のある車椅子を持ち上げて左右の車輪のタイヤを左右のブラシロールに位置決めする必要がない。
【００１９】
また、前輪洗浄ブラシロールと後輪洗浄ブラシロールの間隔を洗浄対象の車椅子の前後の車輪のタイヤ間隔に合うように調整する作業においては、幅方向の端に取り付けられているロックレバーを操作してロックを解除して、前輪洗浄ユニットを実際に目視しながら、それを前後方向にスライドさせ、位置決めしたスライド位置においてロックレバーを操作してロック状態に戻せばよい。目視しながら前後の間隔調整を行うことができるので、前後の間隔調整作業を簡単かつ正確に行うことができる。
【００２０】
次に、本発明のタイヤ洗浄機（１）では、
車輪のタイヤの両側部分およびタイヤとホイールリムの間の両側部分を洗浄するための側面ブラシ洗浄具（３０）を有しており、
前記前輪洗浄ユニット（６）は、幅方向における複数の位置に前記側面ブラシ洗浄具（３０）を取り外し可能な状態で取り付けることのできる前輪側洗浄具取付け部（２７）を備えており、
前記後輪洗浄ユニット（７）は、幅方向における複数の位置に前記側面ブラシ洗浄具（３０）を取り外し可能な状態で取り付けることのできる後輪側洗浄具取付け部（１７）を備えており、
前記側面ブラシ洗浄具（３０）は、前記前輪側洗浄具取付け部（２７）あるいは前記後輪側洗浄具取付け部（１７）に取り付けた状態において、幅方向から相互に毛先が向かい合う状態に配置されている左右一対の側面ブラシ（３３Ｌ、３３Ｒ）と、これら側面ブラシ（３３Ｌ、３３Ｒ）を開閉可能な手動操作部材（３４）とを備えていることを特徴としている。
【００２１】
車輪のタイヤを両側から挟み込み可能な側面ブラシ洗浄具が、架台に対して着脱可能であり、しかも、取付け位置を幅方向の異なる位置に変更できる。したがって、洗浄対象の車椅子の前輪および後輪を、それぞれ、前輪洗浄ユニットの前輪洗浄ブラシロールと前輪支持ロールの上、および、後輪洗浄ユニットの後輪洗浄ブラシロールと後輪支持ロールの上に載せた後に、各側面ブラシ洗浄具の側面ブラシを開き、この状態で各車輪のタイヤを両側から挟む状態となる位置に、当該側面ブラシ洗浄具を取り付けることができる。この結果、各側面ブラシ洗浄具が各車輪に対して位置決めされて配置された状態を簡単に形成できる。換言すると、側面ブラシ洗浄具の位置決め作業を簡単に行うことができる。
【００２２】
ここで、本発明のタイヤ洗浄機（１）は、
二連式車輪における各車輪のタイヤ両側部分および各タイヤと各ホイールリムの間の両側部分を洗浄するための二連式側面ブラシ洗浄具（４０）を有しており、
前記二連式側面ブラシ洗浄具（４０）は、前記前輪側洗浄具取付け部（２７）あるいは前記後輪側洗浄具取付け部（１７）に取り外し可能な状態で取り付けることができ、
当該二連式側面ブラシ洗浄具（４０）は、前記前輪側洗浄具取付け部（２７）および前記後輪側洗浄具取付け部（１７）に取り付けた状態において、幅方向に並列配置されている一対の側面ブラシ（４３Ｌ、４３Ｒ）を備え、
各側面ブラシ（４３Ｌ、４３Ｒ）は、幅方向から相互に毛先が向かい合う状態に配置されている内側ブラシ（４２）および外側ブラシ（４１）を備えており、
前記二連式側面ブラシ洗浄具（４０）は、前記一対の側面ブラシ（４３Ｌ、４３Ｒ）を幅方向に開閉可能な手動操作部材（３４）を備えていることを特徴としている。
【００２３】
かかる二連式側面ブラシ洗浄具を用いれば、従来においては不可能であった二連式車輪のタイヤ側面の洗浄作業、特にタイヤ内側側面の洗浄作業を簡単かつ確実に行うことができる。
【００２４】
また、本発明のタイヤ洗浄機（１）で用いる側面ブラシ洗浄具（３０）において、
前記側面ブラシ（３３Ｌ、３３Ｒ）は、前記後輪側洗浄具取付け部（１７）あるいは前記前輪側洗浄具取付け部（２７）に取り付けた状態において、上下方向において所定の間隔で前後方向に直線状に配列された上ブラシ列（３８ａ）、中央ブラシ列（３８ｂ）および下ブラシ列（３８ｃ）を備え、
各ブラシ列（３８ａ〜３８ｃ）では、ブラシの束が前後方向に連続的かつ直線状に配列されており、
前記中央ブラシ列（３８ｂ）のブラシの毛先長さに比べて、前記上ブラシ列（３８ａ）および前記下ブラシ列（３８ｃ）のブラシの毛先長さが長いことを特徴としている。
【００２５】
このように毛先の輪郭形状を設定しておくと、各タイヤにおけるタイヤ側面とホイールリムの間の奥まった溝部分の底なども確実に洗浄することができる。
【００２６】
次に、本発明のタイヤ洗浄機（１）は、
前記洗浄液パンとして、前記前輪洗浄ブラシロール用の前輪洗浄液パン（８）と、前記後輪洗浄ブラシロール用の後輪洗浄液パン（９）とを備えており、
前記前輪洗浄液パン（８）は、前方に向けて下方に傾斜している傾斜面（６２ｂ）に沿って、水平姿勢のままスライドして、前記前輪洗浄ユニット（６）から前方に取り外し可能であり、
前記後輪洗浄液パン（９）は、後方に向けて下方に傾斜している傾斜面（６２ｂ）に沿って、水平姿勢のままスライドして、前記架台（３）から後方に取り外し可能であることを特徴としている。
【００２７】
各洗浄液パンは水平姿勢のまま、各洗浄ブラシロールから離れる斜め方向にスライドする。したがって、傾斜角度を適切に設定しておけば、各洗浄液パンを引き出す際に各洗浄ブラシロールに各洗浄液パンが干渉してしまうことを回避できる。また、このように傾斜面に沿って引き出すためには、洗浄液パンの底面および装置架台に、それぞれ相補的な形状の傾斜面を形成しておくだけでよいので、構造も極めて簡単である。
【００２８】
ここで、本発明のタイヤ洗浄機（１）で用いる前記前輪洗浄液パン（８）および前記後輪洗浄液パン（９）のそれぞれは、所定厚さの直方体形状をしたパンであり、
前記パンの天面は、その前端側の部分および後端側の部分が所定幅の前蓋（５１）および後蓋（５２）で覆われて、これらの間が上方に開口した開口部（５３）となっており、
前記パンの内部は、その天面と底面の間には、所定の間隔で幅方向に延びている前側垂直仕切り板（５４）および後側垂直仕切り板（５５）によって、前側区画室（５６ａ）、中央区画室（５６ｂ）および後側区画室（５６ｃ）に仕切られており、
前記前側区画室（５６ａ）および前記中央区画室（５６ｂ）の間は、前記前側垂直仕切り板（５４）に形成した連通穴あるいは当該前側垂直仕切り板（５４）の上下の部分を介して連通しており、
前記後側区画室（５６ｃ）と前記中央区画室（５６ｂ）の間は、前記後側垂直仕切り板（５５）に形成した連通穴あるいは当該後側垂直仕切り板（５５）の上下の部分を介して連通しており、
前記開口部（５３）から前記前輪洗浄ブラシロール（２２）あるいは前記後輪洗浄ブラシロール（１２）が前記パン内に挿入されていることを特徴としている。
【００２９】
この構成によれば、洗浄液パンの抜き差し時、スライド時などにおいて、洗浄液が波立ってこぼれ出てしまうことを抑制でき、無駄に消費される洗浄液の量を抑制できる。また、各洗浄液パンに溜めた洗浄液に浸漬した状態で洗浄ブラシロールが回転した場合における洗浄液の泡立ちの抑制効果も期待され、洗浄液の泡が周囲に溢れ出て周囲を汚してしまうことも抑制できる。
【図面の簡単な説明】
【００３０】
【図１】本発明を適用した車椅子タイヤ洗浄機の実施の形態を示す斜視図であり、車椅子を洗浄している状態を示す。
【図２】図１の車椅子タイヤ洗浄機を示す斜視図である。
【図３】（ａ）は図１の車椅子タイヤ洗浄機の概略縦断面図であり、（ｂ）は後輪洗浄液パンの平面図である。
【図４】図１の車椅子タイヤ洗浄機の前後の洗浄ユニットを示す部分斜視図である。
【図５】（ａ）〜（ｅ）は、側面ブラシ洗浄具を示す斜視図、側面図、背面図、横断面および使用状態を示す説明図である。
【図６】（ａ）〜（ｅ）は、二連式側面ブラシ洗浄具を示す斜視図、側面図、背面図、横断面および使用状態を示す説明図である。
【発明を実施するための形態】
【００３１】
以下に、図面を参照して本発明を適用したタイヤ洗浄機の実施の形態を説明する。なお、以下の説明においては車椅子を洗浄する場合を例に挙げて説明するが、本発明のタイヤ洗浄機は歩行補助車など車椅子以外の四輪車および複数輪をもった他の軽車両などの洗浄にも用いることができる。
【００３２】
（全体構成）
図１は本発明の実施の形態に係る車椅子タイヤ洗浄機を示す斜視図であり、車椅子タイヤを洗浄している状態を示すものであり、図２は車椅子タイヤ洗浄機を示す斜視図である。これらの図を参照して説明すると、車椅子タイヤ洗浄機１は、裏面の四隅にキャスター２の付いた矩形輪郭の架台３を備えている。架台３には、その前端における向かって左側の角に垂直支柱４が立っており、この上端に操作ボックス５が取り付けられている。操作ボックス５にはタイマ５ａ、スタートボタン５ｂ、非常停止ボタン５ｃが配置されている。
【００３３】
架台３の上面３ａの上側には、その前側の部位に、前輪洗浄ユニット６が配置されており、その後側には後輪洗浄ユニット７が配置されている。前輪洗浄ユニット６は前後方向Ｙにスライド可能な状態で架台３に搭載されており、前輪洗浄ユニット６の下側部分には、前輪洗浄液パン８が装着されている。後輪洗浄ユニット７は前後方向Ｙにおける定まった位置に固定された状態で架台３に搭載されており、この下側の架台上面３ａには、後輪洗浄液パン９が配置されている。
【００３４】
（後輪洗浄ユニット）
図３（ａ）、（ｂ）は車椅子タイヤ洗浄機１の概略縦断面図および後輪洗浄液パンの平面図であり、図４は前輪洗浄ユニット６および後輪洗浄ユニット７の構造を示す概略斜視図である。図２、図３および図４を参照して、まず、固定側の後輪洗浄ユニット７の構造を説明する。後輪洗浄ユニット７は、架台３の左右の縁端に固定した垂直支持板１１Ｌ、１１Ｒを備えており、これらの垂直支持板１１Ｌ、１１Ｒの間に、幅方向Ｘに水平に延びる後輪洗浄ブラシロール１２が回転自在に架け渡されている。後輪洗浄ブラシロール１２の前側には一定の間隔を開けて後輪支持ロール１３が平行に配置されており、この後輪支持ロール１３も垂直支持板１１Ｌ、１１Ｒの間に回転自在に架け渡されている。右側の垂直支持板１１Ｒの外側面には、後輪洗浄ブラシロール１２を回転駆動するための回転駆動機構１４（図４参照）が取り付けられている。回転駆動機構１４はモーターおよび減速機を備えている。また、垂直支持板１１Ｒにはカバー１５Ｒが取り付けられており、軸受部分および回転駆動機構１４が覆い隠されている。同様に、左側の垂直支持板１１Ｌにもカバー１５Ｌが取り付けられており、軸受部分が覆い隠されている（図４においてはカバーを省略してある。）。
【００３５】
後輪洗浄ブラシロール１２は、ロール回転軸１２ａに取り付けた同一構造の左ブラシロール１２Ｌと右ブラシロール１２Ｒからなる。これらのブラシロール１２Ｌ、１２Ｒは、円筒状のロール本体１２ｂと、ロール本体１２ｂのそれぞれの円形外周面に所定の密度で植え付けた多数の束状のブラシ１２ｃから構成されている。後輪洗浄ブラシロール１２は、架台３の幅方向Ｘのほぼ全幅に亘る長さのロールである。ロール本体１２ｂは円筒を半割したものを相互に固定したものであり、その交換作業が容易である。図３から分かるように、後輪洗浄ブラシロール１２は、その下側に位置するブラシが後輪洗浄液パン９に貯留されている洗浄液に浸漬された状態となる高さ位置に配置されている。また、後輪洗浄ブラシロール１２の上側のブラシ毛先の高さ位置が後輪支持ロール１３の上側の外周面とほぼ同一の高さ位置となるように、これらのロールが配置されている。具体的には、これらの高さ関係は、車椅子の重量によるブラシの撓み、倒れを考慮に入れて設定されている。
【００３６】
（前輪洗浄ユニット）
次に、図２、図３および図４を参照して前輪洗浄ユニット６を説明する。前輪洗浄ユニット６は、架台３の上面３ａに沿って前後方向Ｙにスライド可能なスライド式ユニット枠２０を備えている。スライド式ユニット枠２０は、上面３ａに沿って架台幅方向の全幅に亘って水平に延びている長方形の底板２０ａと、この両端から上方に垂直に延びている左右の垂直支持板２１Ｌ、２１Ｒとを備えている。架台３の上面３ａの両側縁部分には前後方向Ｙに延びるガイドレール３Ｌ、３Ｒが取り付けられており、これらに沿ってスライド式ユニット枠２０が前後方向Ｙにスライド可能である。また、スライド式ユニット枠２０の底板２０ａの上側部分が前輪洗浄液パン８の装着部分となっており、スライド式ユニット枠２０と一体となって（すなわち、前輪洗浄ユニット６と共に）前輪洗浄液パン８も前後方向Ｙにスライドする。
【００３７】
左右の垂直支持板２１Ｌ、２１Ｒの間には、幅方向Ｘに水平に延びる前輪洗浄ブラシロール２２が回転自在に架け渡されている。前輪洗浄ブラシロール２２の後側には一定の間隔を開けて前輪支持ロール２３が平行に配置されており、この前輪支持ロール２３も垂直支持板２１Ｌ、２１Ｒの間に回転自在に架け渡されている。右側の垂直支持板２１Ｒの外側面には、前輪洗浄ブラシロール２２を回転駆動するための回転駆動機構２４が取り付けられている。回転駆動機構２４はモーターおよび減速機を備えている。また、垂直支持板２１Ｒにはカバー２５Ｒが取り付けられており、軸受部分および回転駆動機構２４が覆い隠されている。同様に、左側の垂直支持板２１Ｌにもカバー２５Ｌが取り付けられており、軸受部分が覆い隠されている。
【００３８】
前輪洗浄ブラシロール２２は後輪洗浄ブラシロール１２と同一構造であり、ロール回転軸２２ａに取り付けた同一構造の左ブラシロール２２Ｌと右ブラシロール２２Ｒからなる。これらのブラシロール２２Ｌ、２２Ｒは、円筒状のロール本体２２ｂと、ロール本体２２ｂのそれぞれの円形外周面に所定の密度で植え付けた多数の束状のブラシ２２ｃから構成されている。前輪洗浄ブラシロール２２は、架台３の幅方向Ｘのほぼ全幅に亘る長さのロールである。ロール本体２２ｂは円筒を半割したものを相互に固定したものであり、その交換作業が容易である。前輪洗浄ブラシロール２２は、その下側に位置するブラシが前輪洗浄液パン８に貯留されている洗浄液に浸漬された状態となる高さ位置に配置されている。また、前輪洗浄ブラシロール２２の上側のブラシ毛先の高さ位置が前輪支持ロール２３の上側の外周面とほぼ同一の高さ位置となるように、これらのロールが配置されている。これらの高さ関係も、後輪側の場合と同様に、車椅子の重量によるブラシの撓み、倒れを考慮に入れて設定されている。
【００３９】
ここで、スライド式ユニット枠２０の左側の垂直支持板２１Ｌには、前輪洗浄ユニット６の前後方向Ｙの所定のスライド位置にロックするために操作されるロックレバー２６が配置されている。ロックレバー２６をロック解除方向に操作すると、前輪洗浄ユニット６のスライド式ユニット枠２０と架台３の間のロックが解除され、前輪洗浄ユニット６を前後方向にスライド可能になる。前輪洗浄ユニット６を前後方向にスライドさせることにより、前輪洗浄ブラシロール２２が固定側の後輪洗浄ブラシロール１２に対して前後に移動して、それらの間隔を調整できる。所定のスライド位置でロックレバー２６をロック方向に操作すると、その位置において、前輪洗浄ユニット６が架台３に固定された状態になる。
【００４０】
操作者は、洗浄対象の車椅子１００を持ち上げて前後の洗浄ユニット６、７に載せる際に、左右方向の位置決めを行う必要がない。すなわち、前後の洗浄ブラシロール１２、２２は幅方向Ｘに十分に長いので、左右の車輪間隔に関係なく車椅子の前後の左右一対の車輪を前後の洗浄ブラシロール１２、２２に載せることができる。この後は、車椅子タイヤ洗浄機１における左側の位置において、前後のタイヤを目視しながら、ロックレバー２６を操作して前輪洗浄ユニット６を前後方向にスライドさせて、前後の車輪間隔に合うように、前後の洗浄ブラシロール１２、２２の間隔を調整できる。よって、前後方向の位置決め操作を簡単かつ正確に行うことができる。
【００４１】
（側面ブラシ洗浄具）
次に、図１、図２、図４に示すように、前後の洗浄ユニット６、７には、車椅子１００の車輪タイヤの両側面をブラシ洗浄するための側面ブラシ洗浄具３０が着脱可能な状態で取り付けられている。車椅子１００の四輪のタイヤ側面を洗浄するために、図１、図２に示すように、前輪洗浄ユニット６および後輪洗浄ユニット７にはそれぞれ一対の側面ブラシ洗浄具３０を取り付けて使用する。
【００４２】
前輪洗浄ユニット６には、その前側の部位に、左右の垂直支持板２１Ｌ、２１Ｒの間に、洗浄具取付け用の枠板２７が幅方向Ｘに水平に架け渡されている。枠板２７はＬ型断面をしており、前方に傾斜した前方傾斜面２７ａ、後方に傾斜した後方傾斜面２７ｂを備えている。前方傾斜面２７ａには、その長さ方向（幅方向Ｘ）に沿って一定の間隔で取り付け穴２７ｃが形成されている。後輪洗浄ユニット７にも、その左右の垂直支持板１１Ｌ、１１Ｒの間に、前後が逆向きの状態で、同一構造の枠板１７が取り付けられており、この枠板１７も後方傾斜面１７ａ、前方傾斜面１７ｂ、および取り付け穴１７ｃを備えている。
【００４３】
図５（ａ）〜（ｅ）は、側面ブラシ洗浄具３０を示す斜視図、側面図、背面図、横断面および使用状態を示す説明図である。これらの図を参照して説明すると、側面ブラシ洗浄具３０は、円柱状の把持部３１と、この把持部３１の前端に固定した支持ブラケット３２と、支持ブラケット３２の両側から前方に平行に延びている左右一対の側面ブラシ３３Ｌ、３３Ｒとを備えている。側面ブラシ３３Ｌ、３３Ｒは相互に毛先が向き合う状態に対向配置されている。側面ブラシ３３Ｌ、３３Ｒの後端部は、支持ブラケット３２に対して矢印で示す左右方向に開閉可能な状態で取り付けられており、不図示のバネ部材によって相互に接近する方向に向けて常に付勢されている。
【００４４】
把持部３１の前端部には逆三角形の輪郭の押し込み板３４が垂直に配置されている。押し込み板３４の左右の傾斜カム面３４Ｌ、３４Ｒには、左右の側面ブラシ３３Ｌ、３３Ｒの後端に取り付けたカムローラー３５Ｒ、３５Ｌがバネ力によって当接している。これにより、押し込み板３４はバネ力によってその上端位置に保持されている。操作者が押し込み板３４を押し込むと、バネ力に逆らって左右の側面ブラシ３３Ｌ、３３Ｒを開くことができる。押し込みを解除すると、バネ力によって左右の側面ブラシ３３Ｌ、３３Ｒが閉じる。
【００４５】
また、支持ブラケット３２はその下端部に取り付け板３６を備えており、この裏面には、前輪洗浄ユニット６（後輪洗浄ユニット７）の枠板２７（枠板１７）の前後の傾斜面２７ａ、２７ｂ（傾斜面１７ａ、１７ｂ）に対応する傾斜面３６ａ、３６ｂが形成されている。また、傾斜面３６ａには先細り形状の取り付けピン３７が垂直に突出している。図５（ｂ）に示すように、側面ブラシ洗浄具３０は、その取付け板３６の取り付けピン３７を枠板２７（１７）における所定の取り付け穴２７ｃ（１７ｃ）に位置決めして差し込む。これにより、側面ブラシ洗浄具３０は、側面ブラシ３３Ｌ、３３Ｒが水平に延びる姿勢で、枠板２７（１７）に取り付けられた状態になる。
【００４６】
操作者は、洗浄対象の車椅子１００を前後の洗浄ユニット６、７に載せて前後方向の位置調整を行った後に、側面ブラシ洗浄具３０の取り付け作業を行う。まず、側面ブラシ洗浄具３０の把持部３１を持ち、前輪タイヤに対応する位置において枠板２７に取り付ける。この時に、押し込み板３４を押し込み左右の側面ブラシ３３Ｌ、３３Ｒを開き、これらによって前輪タイヤを両側から挟み込む状態で枠板２７に取り付ける。後輪タイヤの両側を挟む状態に取り付ける場合も同様に行う。このようにして、簡単な操作によって、各車輪タイヤに対して側面ブラシ洗浄具３０を位置決めでき、その側面ブラシ３３Ｌ、３３Ｒによってタイヤ両側を挟む状態を形成できる。
【００４７】
ここで、左右の側面ブラシ３３Ｌ、３３Ｒのそれぞれは、図５（ｄ）に示すように、一定の間隔で平行に配列された上ブラシ列３８ａ、中央ブラシ列３８ｂおよび下ブラシ列３８ｃを備えている。各ブラシ列３８ａ〜３８ｃでは、ブラシの束（束状ブラシ）が連続的に一列に配置されている。また、中央ブラシ列３８ｂのブラシの毛先長さに比べて、上ブラシ列３８ａおよび下ブラシ列３８ｃのブラシの毛先長さが長い。
【００４８】
図５（ｅ）に示すように、枠板２７（１７）に取り付けた状態においては、側面ブラシ洗浄具３０は、前輪洗浄ブラシロール２２（後輪洗浄ブラシロール１２）のブラシの毛先とほぼ同一高さ位置に、下ブラシ列３８ｃが位置するように設定されている。車椅子１００の前輪（後輪）を前輪洗浄ブラシロール２２（後輪洗浄ブラシロール１２）に載せると、そのタイヤ１０１のトレッド１０２およびタイヤ両側面の下側部分がブラシロール側のブラシに埋まり、上側の残りのタイヤ両側面の部分に、側面ブラシ３３Ｌ、３３Ｒの各ブラシが当たる。長い上ブラシ列３８ａがタイヤ側面とホイールリム１０３の間の奥深い部分に当り、この部分に付着している異物を確実に洗浄して掻き落とすことができる。
【００４９】
次に、図６（ａ）〜（ｅ）は、ダブル車輪タイヤ（二連式車輪タイヤ）の側面を洗浄する場合に適した二連式側面ブラシ洗浄具を示す斜視図、側面図、背面図、横断面および使用状態を示す説明図である。二連式側面ブラシ洗浄具４０は、上記の側面ブラシ洗浄具３０の代わりに枠板２７（１７）に取り付けることができるものであり、基本的な構成は側面ブラシ洗浄具３０と同一であるので、図においては対応する部位には同一の符号を付してある。以下に異なる部分の構造を説明する。
【００５０】
二連式側面ブラシ洗浄具４０において、支持ブラケット３２に取り付けた左右の側面ブラシ４３Ｌ、４３Ｒは、図６（ａ）に矢印で示すように、相互に左右方向に開閉可能となっている。押し込み板３４を押し込むことにより側面ブラシ４３Ｌ、４３Ｒを開くことができ、押し込み板３４の押し込みを解除すると側面ブラシ４３Ｌ、４３Ｒが相互に接近して図６に示す元の閉じ状態に戻る。また、側面ブラシ４３Ｌ、４３Ｒのそれぞれは、一定の間隔で対峙している外側ブラシ４１および内側ブラシ４２を備えている。図示の例では、外側ブラシ４１は上下に三列のブラシ列３８ａ〜３８ｃを備えており、内側ブラシ４２は、下ブラシ列３８ｃに対応する高さ位置に一列のブラシ列４２ａのみを備えている。双方のブラシ４１、４２を、同一高さ位置に一列のブラシ列のみを備えたものとすることもでき、各種のブラシ配列構成を採用できる。
【００５１】
この構成の二連式側面ブラシ洗浄具４０を用いれば、図６（ｅ）に示すように、ダブル車輪タイヤの各側面を洗浄することができる。また、単に、側面ブラシ洗浄具３０の代わりに、二連式側面ブラシ洗浄具４０を取り付けるだけでよいので、操作も簡単である。
【００５２】
（洗浄液パンの構造および着脱機構）
次に、図３を参照して、前後の洗浄液パン８、９の構造および、それらの着脱機構を説明する。前後の洗浄液パン８、９の着脱機構は前後対称な構造となっているので、後輪洗浄液パン９の構造および着脱構造を主に説明する。
【００５３】
後輪洗浄液パン９は、後輪洗浄ユニット７の左右の垂直支持板１１Ｌ、１１Ｒの間に配置された同一形状・構造の左右一対の洗浄液パン９Ｌ、９Ｒからなる。それぞれの洗浄液パン９Ｌ、９Ｒは偏平な直方体形状をしており、その天面は、その前端側の部分および後端側の部分が所定幅の前蓋５１および後蓋５２で覆われて、これらの間が上方に開口した開口部５３となっている。後輪洗浄液パン９の内部には、その天面と底面の間に、所定の間隔で幅方向Ｘに延びている前側垂直仕切り板５４および後側垂直仕切り板５５が配置されており、これらによって、前側区画室５６ａ、中央区画室５６ｂおよび後側区画室５６ｃに仕切られている。なお、後輪洗浄液パン９の左右の洗浄液パンには、それぞれ取手部分５７Ｌ、５７Ｒが取り付けられており、操作者はこれらに手を掛けて双方の洗浄液パンの着脱を行うことができるようになっている。
【００５４】
前側区画室５６ａおよび中央区画室５６ｂの間は、前側垂直仕切り板５４の上下の部分を介して連通している。同様に、後側区画室５６ｃと中央区画室５６ｂの間は、後側垂直仕切り板５５の上下の部分を介して連通している。これらの仕切り板５４、５５に連通穴を形成しておくこともできる。これらの仕切り板５４、５５の間の開口部５３から、後輪洗浄ブラシロール１２が後輪洗浄液パン９の中央区画室５６ｂ内に所定量だけ挿入されている。後輪洗浄液パン９に溜めた洗浄液には、後輪洗浄ブラシロール１２の各ブラシ部分がロール１回転毎に繰り返し浸漬するようになっている。
【００５５】
この構成の後輪洗浄液パン９の各洗浄液パン９Ｌ、９Ｒでは、仕切り板５４、５５によって内部が前後に仕切られており、仕切り板５４、５５の上下を通って洗浄液が前後に流通可能である。したがって、後輪洗浄液パン９の各洗浄液パン９Ｌ、９Ｒを抜き差し等によって生ずる洗浄液の波立ちが、仕切り板５４、５５がバッファとなって抑制され、泡立ち抑制効果も期待される。また、前後の蓋５１、５２によっても波立ち、泡こぼれが抑制される。この結果、洗浄液がパン９から漏れ出ることを抑制でき、多量の泡が溢れ出して周囲を汚してしまうなどの弊害の発生も防止あるいは抑制できる。
【００５６】
次に、後輪洗浄液パン９の各洗浄液パン９Ｌ、９Ｒの底面の裏側には、その前後の位置に、それぞれ、その幅方向の両端部分および中央部分に、前後方向に延びる複数のスライド部材６１が取り付けられている。これらのスライド部材６１は逆台形状の輪郭形状をしており、下向きの平坦な水平端面６１ａと、この前端に連続して前方に向けて上方に傾斜している平坦な傾斜端面６１ｂとを備えている。
【００５７】
架台３の上面３ａの側には、その前後に、これらのスライド部材６１が乗り上げている複数の台形状のスライドガイド面６２が形成されている。各スライドガイド面６２は、平坦な水平に前後方向に延びる水平ガイド面６２ａと、この後端に連続して後方に向けて下方に傾斜している平坦な傾斜ガイド面６２ｂを備えている。
【００５８】
後輪洗浄液パン９の各洗浄液パン９Ｌ、９Ｒを架台３に装着した状態では、図３（ａ）において実線で示すように、その底面に取り付けたスライド部材６１の水平端面６１ａが、架台側の水平ガイド面６２ａに乗り上げ、装着位置を規定する当接板６３に当って位置決めされた状態にある。この状態から後輪洗浄液パン９の各洗浄液パン９Ｌ、９Ｒを後方に向けて引き出すと、これらの洗浄液パン９Ｌ、９Ｒはスライドガイド面６２上をスライドし、水平姿勢を保持したまま全体として降下しながら後方に移動する。この結果、後輪洗浄液パン９の各洗浄液パン９Ｌ、９Ｒにおける引き出し方向の後側の部分が後輪洗浄ブラシロール１２に干渉することなく、図３（ａ）において想像線で示すように後方に引き出される。装着時には後輪洗浄液パン９の各洗浄液パン９Ｌ、９Ｒは上昇しながら前方に送り込まれて実線で示す装着位置に位置決めされる。
【００５９】
なお、各洗浄液パン９Ｌ、９Ｒの後側には、これらの間の位置にズレ止め用のストッパ６４（図１、２、４参照）が配置されており、装着された各洗浄液パン９Ｌ、９Ｒの後方へのズレを防止している。ストッパ６４は、左右の洗浄液パン９Ｌ、９Ｒの双方に後側から当接する水平位置から、これらに干渉しない垂直位置までの間を旋回可能な旋回板６４ａを備えた構造のものである。勿論、これ以外の構造のストッパを用いることもできる。
【００６０】
一方、前輪洗浄ユニット６の側においては、その裏面に前輪洗浄液パン８の装着部分が形成されている。したがって、前輪洗浄ユニット６と前輪洗浄液パン８が一体となって前後にスライド可能である。また、前輪洗浄ユニット６から、前輪洗浄液パン８を前方に引き出して外すことができ、前輪洗浄液パン８を後方に押し込むことにより前輪洗浄ユニット６に装着することができる。前輪洗浄液パン８も同一形状・構造の左右一対の洗浄液パンからなる。なお、前輪洗浄液パン８、後輪洗浄液パン９を、それぞれ単一の洗浄液パンとすることも可能である。
【符号の説明】
【００６１】
１    車椅子タイヤ洗浄機
３    架台
６    前輪洗浄ユニット
７    後輪洗浄ユニット
８    前輪洗浄液パン
９    後輪洗浄液パン
９Ｌ、９Ｒ  洗浄液パン
１１Ｌ、１１Ｒ  垂直支持板
１２  後輪洗浄ブラシロール
１２ａ  ロール回転軸
１２ｂ  ロール本体
１２ｃ  束状のブラシ
１２Ｌ、１２Ｒ  ブラシロール
１３  後輪支持ロール
１４  回転駆動機構
１５Ｌ、１５Ｒ  カバー
１７  枠板
２０  スライド式ユニット枠
２１Ｌ、２１Ｒ  垂直支持板
２２  前輪洗浄ブラシロール
２２ａ  ロール回転軸
２２ｂ  ロール本体
２２ｃ  束状のブラシ
２２Ｌ、２２Ｒ  ブラシロール
２３  前輪支持ロール
２４  回転駆動機構
２５Ｌ、２５Ｒ  カバー
２６  ロックレバー
２７  枠板
３０  側面ブラシ洗浄具
３１  把持部
３２  支持ブラケット
３３Ｌ、３３Ｒ  側面ブラシ
３４  押し込み板
３５Ｒ、３５Ｌ  カムローラー
３６  取り付け板
３７  取り付けピン
３８ａ  上ブラシ列
３８ｂ  中央ブラシ列
３８ｃ  下ブラシ列
４０  二連式側面ブラシ洗浄具
４１  外側ブラシ
４２  内側ブラシ
４３Ｌ、４３Ｒ  側面ブラシ
５１  前蓋
５２  後蓋
５３  開口部
５４  前側垂直仕切り板
５５  後側垂直仕切り板
６１  スライド部材
６２  スライドガイド面
６３  当接板
６４  ストッパ
６４ａ  旋回板
１００  車椅子
１０１  タイヤ
１０２  トレッド
１０３  ホイールリム
【図１】
0005798057.tif 000002
【図２】
0005798057.tif 000003
【図３】
0005798057.tif 000004
【図４】
0005798057.tif 000005
【図５】
0005798057.tif 000006
【図６】
0005798057.tif 000007